(57)【要約】【課題】一辺が綴じられた紙文書にダメージを与えることなく、紙文書に印刷された内容を良好な状態で読み取ることのできる画像読取装置を提供する。【解決手段】一辺が綴じられた紙文書の見開き２ページのうち一方のページが搭載される第１平面ガラス１１１と、見開き２ページのうち他方のページが搭載される第２平面ガラス１１２であって、第１平面ガラス１１１と当該第２平面ガラス１１２の断面がＶ字状になるように配置された第２平面ガラス１１２とを有するＶ字型コンタクトガラス１１０と、第１ミラーユニットおよび第２ミラーユニットを第１平面ガラス１１１から第２平面ガラス１１２に向かう副走査方向に移動させる移動制御部と、第２ミラーユニットにより反射された光を受光し、受光した光に基づいて、ページの画像データを得る画像センサとを備える。【選択図】図１
2013106058.tif 000002
【特許請求の範囲】
【請求項１】
一辺が綴じられた紙文書の見開き２ページのうち一方のページが搭載される第１平面ガラスと、前記見開き２ページのうち他方のページが搭載される第２平面ガラスであって、前記第１平面ガラスと当該第２平面ガラスの断面がＶ字状になるように配置された前記第２平面ガラスとを有するＶ字型コンタクトガラスと、
前記Ｖ字型コンタクトガラスに搭載されたページに光を照射する光源と、
前記光源からの光を反射する第１ミラーユニットおよび第２ミラーユニットと、
前記第１ミラーユニットおよび前記第２ミラーユニットを前記第１平面ガラスから前記第２平面ガラスに向かう副走査方向に移動させる移動制御部と、
前記第１ミラーユニットおよび前記第２ミラーユニットが前記副走査方向に移動する度に、前記第２ミラーユニットにより反射された光を受光し、受光した光に基づいて、前記ページの画像データを得る画像センサと
を備え、
前記移動制御部は、前記ページにより反射された光が入射する前記Ｖ字型コンタクトガラスの位置から前記第１ミラーユニットおよび前記第２ミラーユニットを経由して前記画像センサに到達するまでの第１光路であって、前記Ｖ字型コンタクトガラスの異なる各位置それぞれにおいて定まる各第１光路の距離が一定になるように、前記副走査方向における各位置において、前記第１ミラーユニットおよび前記第２ミラーユニットの位置を制御する第１移動制御を行うことを特徴とする画像読取装置。
【請求項２】
前記Ｖ字型コンタクトガラスと前記光源の間に設けられ、前記Ｖ字型コンタクトガラスが搭載された平面コンタクトガラスをさらに備え、
前記Ｖ字型コンタクトガラスは、前記平面コンタクトガラスから取り外し可能に設けられ、
ユーザから前記移動制御部による制御を前記第１移動制御から、前記平面コンタクトガラスに搭載されたページにより反射された光が入射する前記平面コンタクトガラスの位置から前記第１ミラーユニットおよび前記第２ミラーユニットを経由して前記画像センサに到達するまでの第２光路であって、前記平面コンタクトガラスの異なる各位置それぞれにおいて定まる各第２光路の距離が一定になるように、前記副走査方向における各位置において、前記第１ミラーユニットおよび前記第２ミラーユニットの位置を制御する第２移動制御に切り替える切替指示を受け付ける受付部をさらに備え、
前記移動制御部は、前記受付部が前記第２移動制御への前記切替指示を受け付けた場合に、前記第２移動制御を行うことを特徴とする請求項１に記載の画像読取装置。
【請求項３】
前記Ｖ字型コンタクトガラスと前記光源の間に設けられ、前記Ｖ字型コンタクトガラスが搭載された平面コンタクトガラスをさらに備え、
前記Ｖ字型コンタクトガラスは、前記平面コンタクトガラスから取り外し可能に設けられ、さらに前記第１平面または第２平面ガラスに印字された識別情報を有し、
前記画像センサにより前記識別情報の前記画像データが得られた場合に、前記Ｖ字型コンタクトガラスが前記平面コンタクトガラスから取り外されたと判断するＶ字型コンタクトガラス検出部をさらに備え、
前記移動制御部は、前記Ｖ字型コンタクトガラスが取り外された場合に、前記第１移動制御を停止し、前記平面コンタクトガラスに搭載されたページにより反射された光が入射する前記平面コンタクトガラスの位置から前記第１ミラーユニットおよび前記第２ミラーユニットを経由して前記画像センサに到達するまでの第２光路であって、前記平面コンタクトガラスの異なる各位置それぞれにおいて定まる各第２光路の距離が一定になるように、前記副走査方向における各位置において、前記第１ミラーユニットおよび前記第２ミラーユニットの位置を制御する第２移動制御を行うことを特徴とする請求項１に記載の画像読取装置。
【請求項４】
前記画像センサにより得られた前記画像データのホワイトバランスを調整するホワイトバランス調整部をさらに備えることを特徴とする請求項１から３のいずれか一項に記載の画像読取装置。
【請求項５】
前記ホワイトバランス調整部は、前記画像センサにより前記Ｖ字型コンタクトガラスの所定の基準領域から得られた基準画像データに基づいて、前記Ｖ字型コンタクトガラスの前記基準領域以外の領域から得られた前記画像データのホワイトバランスを調整することを特徴とする請求項４に記載の画像読取装置。
【請求項６】
一辺が綴じられた紙文書の見開き２ページのうち一方のページが搭載される第１平面ガラスと、前記見開き２ページのうち他方のページが搭載される第２平面ガラスであって、前記第１平面ガラスと当該第２平面ガラスの断面がＶ字状になるように配置された前記第２平面ガラスとを有するＶ字型コンタクトガラスと、
前記Ｖ字型コンタクトガラスに搭載されたページに光を照射する光源と、
前記光源からの光を反射するミラーユニットと、
前記ミラーユニットにより反射された光のフォーカスを調整するフォーカスユニットと、
前記フォーカスユニットによりフォーカスが調整された光を受光し、受光した光に基づいて、前記ページの画像データを得る画像センサと
を備えたことを特徴とする画像読取装置。
【請求項７】
前記画像センサにより得られた前記画像データのホワイトバランスを調整するホワイトバランス調整部をさらに備えることを特徴とする請求項６に記載の画像読取装置。
【請求項８】
前記ホワイトバランス調整部は、前記画像センサにより前記Ｖ字型コンタクトガラスの所定の基準領域から得られた基準画像データに基づいて、前記Ｖ字型コンタクトガラスの前記基準領域以外の領域から得られた前記画像データのホワイトバランスを調整することを特徴とする請求項７に記載の画像読取装置。
【請求項９】
画像読取装置において実行される画像読取方法であって、
一辺が綴じられた紙文書の見開き２ページのうち一方のページが搭載される第１平面ガラスと、前記見開き２ページのうち他方のページが搭載される第２平面ガラスであって、前記第１平面ガラスと当該第２平面ガラスの断面がＶ字状になるように配置された前記第２平面ガラスとを有するＶ字型コンタクトガラスに搭載されたページに光を照射する照射ステップと、
前記光源からの光を反射する第１ミラーユニットおよび第２ミラーユニットを前記第１平面ガラスから前記第２平面ガラスに向かう副走査方向に移動させる移動制御ステップと、
画像センサが、前記第１ミラーユニットおよび前記第２ミラーユニットが前記副走査方向に移動する度に、前記第２ミラーユニットにより反射された光を受光し、受光した光に基づいて、前記ページの画像データを得る受光ステップと
を含み、
前記移動制御ステップにおいては、前記ページにより反射された光が入射する前記Ｖ字型コンタクトガラスの位置から前記第１ミラーユニットおよび前記第２ミラーユニットを経由して前記画像センサに到達するまでの第１光路であって、前記副Ｖ字型コンタクトガラスの異なる各位置それぞれにおいて定まる各第１光路の距離が一定になるように、前記副走査方向における各位置において、前記第１ミラーユニットおよび前記第２ミラーユニットの位置を制御する第１移動制御を行うことを特徴とする画像読取方法。
【請求項１０】
画像読取装置において実行される画像読取方法であって、
一辺が綴じられた紙文書の見開き２ページのうち一方のページが搭載される第１平面ガラスと、前記見開き２ページのうち他方のページが搭載される第２平面ガラスであって、前記第１平面ガラスと当該第２平面ガラスの断面がＶ字状になるように配置された前記第２平面ガラスとを有するＶ字型コンタクトガラスに搭載されたページに光を照射する照射ステップと、
前記光源からの光を反射するミラーユニットにより反射された光のフォーカスを調整するフォーカス調整ステップと、
画像センサが、フォーカスが調整された光を受光し、受光した光に基づいて、前記ページの画像データを得る受光ステップと
を含むことを特徴とする画像読取方法。
【発明の詳細な説明】
【技術分野】
【０００１】
本発明は、画像読取装置および画像読取方法に関する。
【背景技術】
【０００２】
従来、製本された文書から電子書籍データを得る方法としては、紙に印刷された内容を、スキャナを用いてスキャンしてデータ化する方法がある。本のように背表紙が綴じられた文書をスキャンする方法としては、背表紙を裁断し、ページをばらして、各ページをスキャンする方法や、本を開いた状態でフラットベッド（原稿台）に載せ、見開きページ毎にスキャンする方法がある。
【０００３】
しかしながら、背表紙を裁断した場合には、本は、破壊し元に戻せなくなってしまうという問題がある。また、本を開いた状態でフラットベッドに載せる場合にも、本の綴じ部付近まで精度よくスキャンするためには本を１８０度まで開いた状態でフラットベッドに押し付ける必要があるため、本に少なからずダメージを与えてしまうという問題があった。さらに、厚みのある本では、１８０度完全に開くことが難しいことから、見開きの状態でフラットベッドに載せて、綴じ部付近まで精度よくスキャンするには限界があるという問題があった。
【０００４】
一方、特許文献１には、本を見開きの状態でスキャンする際に本の綴じ部付近とフラットベッドの間に生じる空間を矯正する目的で、スキャナの構成に矯正レンズを採用する技術が開示されている。
【発明の概要】
【発明が解決しようとする課題】
【０００５】
しかしながら、特許文献１の技術においては、矯正レンズにより良好な複写物を得ることはできるものの、本を開いた状態でフラットベッドに押し付けるため、本へのダメージは解消しないという問題があった。
【０００６】
本発明は、上記に鑑みてなされたものであって、一辺が綴じられた紙文書にダメージを与えることなく、紙文書に印刷された内容を良好な状態で読み取ることのできる画像読取装置および画像読取方法を提供することを目的とする。
【課題を解決するための手段】
【０００７】
上述した課題を解決し、目的を達成するために、本発明は、画像読取装置であって、一辺が綴じられた紙文書の見開き２ページのうち一方のページが搭載される第１平面ガラスと、前記見開き２ページのうち他方のページが搭載される第２平面ガラスであって、前記第１平面ガラスと当該第２平面ガラスの断面がＶ字状になるように配置された前記第２平面ガラスとを有するＶ字型コンタクトガラスと、前記Ｖ字型コンタクトガラスに搭載されたページに光を照射する光源と、前記光源からの光を反射する第１ミラーユニットおよび第２ミラーユニットと、前記第１ミラーユニットおよび前記第２ミラーユニットを前記第１平面ガラスから前記第２平面ガラスに向かう副走査方向に移動させる移動制御部と、前記第１ミラーユニットおよび前記第２ミラーユニットが前記副走査方向に移動する度に、前記第２ミラーユニットにより反射された光を受光し、受光した光に基づいて、前記ページの画像データを得る画像センサとを備え、前記移動制御部は、前記ページにより反射された光が入射する前記Ｖ字型コンタクトガラスの位置から前記第１ミラーユニットおよび前記第２ミラーユニットを経由して前記画像センサに到達するまでの第１光路であって、前記Ｖ字型コンタクトガラスの異なる各位置それぞれにおいて定まる各第１光路の距離が一定になるように、前記副走査方向における各位置において、前記第１ミラーユニットおよび前記第２ミラーユニットの位置を制御する第１移動制御を行うことを特徴とする。
【０００８】
また、本発明は、画像読取装置であって、一辺が綴じられた紙文書の見開き２ページのうち一方のページが搭載される第１平面ガラスと、前記見開き２ページのうち他方のページが搭載される第２平面ガラスであって、前記第１平面ガラスと当該第２平面ガラスの断面がＶ字状になるように配置された前記第２平面ガラスとを有するＶ字型コンタクトガラスと、前記Ｖ字型コンタクトガラスに搭載されたページに光を照射する光源と、前記光源からの光を反射するミラーユニットと、前記ミラーユニットにより反射された光のフォーカスを調整するフォーカスユニットと、前記フォーカスユニットによりフォーカスが調整された光を受光し、受光した光に基づいて、前記ページの画像データを得る画像センサとを備えたことを特徴とする。
【０００９】
また、本発明は、画像読取装置において実行される画像読取方法であって、一辺が綴じられた紙文書の見開き２ページのうち一方のページが搭載される第１平面ガラスと、前記見開き２ページのうち他方のページが搭載される第２平面ガラスであって、前記第１平面ガラスと当該第２平面ガラスの断面がＶ字状になるように配置された前記第２平面ガラスとを有するＶ字型コンタクトガラスに搭載されたページに光を照射する照射ステップと、前記光源からの光を反射する第１ミラーユニットおよび第２ミラーユニットを前記第１平面ガラスから前記第２平面ガラスに向かう副走査方向に移動させる移動制御ステップと、画像センサが、前記第１ミラーユニットおよび前記第２ミラーユニットが前記副走査方向に移動する度に、前記第２ミラーユニットにより反射された光を受光し、受光した光に基づいて、前記ページの画像データを得る受光ステップとを含み、前記移動制御ステップにおいては、前記ページにより反射された光が入射する前記Ｖ字型コンタクトガラスの位置から前記第１ミラーユニットおよび前記第２ミラーユニットを経由して前記画像センサに到達するまでの第１光路であって、前記Ｖ字型コンタクトガラスの異なる各位置それぞれにおいて定まる各第１光路の距離が一定になるように、前記副走査方向における各位置において、前記第１ミラーユニットおよび前記第２ミラーユニットの位置を制御する第１移動制御を行うことを特徴とする。
【００１０】
また、本発明は、画像読取装置において実行される画像読取方法であって、一辺が綴じられた紙文書の見開き２ページのうち一方のページが搭載される第１平面ガラスと、前記見開き２ページのうち他方のページが搭載される第２平面ガラスであって、前記第１平面ガラスと当該第２平面ガラスの断面がＶ字状になるように配置された前記第２平面ガラスとを有するＶ字型コンタクトガラスに搭載されたページに光を照射する照射ステップと、前記光源からの光を反射するミラーユニットにより反射された光のフォーカスを調整するフォーカス調整ステップと、画像センサが、フォーカスが調整された光を受光し、受光した光に基づいて、前記ページの画像データを得る受光ステップとを含むことを特徴とする。
【発明の効果】
【００１１】
本発明によれば、原稿台をＶ字型コンタクトガラスとしたので、当該Ｖ字型コンタクトガラスに本の見開きページを載せることにより、見開きページの綴じ部付近の領域もＶ字型コンタクトガラスに密着させることができるので、本の見開きページを原稿台に押し付けることなく、紙文書に印刷された内容を良好な状態で読み取ることができるという効果を奏する。また、本の背表紙を裁断する必要がなく、上述のように本の見開きページを原稿台に押し付ける必要もないので、スキャン処理による本へのダメージを低減することができるという効果を奏する。
【図面の簡単な説明】
【００１２】
【図１】図１は、第１の実施の形態にかかる画像読取装置の外観図である。
【図２】図２は、画像読取装置によるスキャンにかかる主要な構成を示す図である。
【図３】図３は、処理部の機能構成を示すブロック図である。
【図４】図４は、基準領域を示す図である。
【図５】図５は、識別情報を示す図である。
【図６】図６は、第１移動制御を説明するための図である。
【図７】図７は、第１移動制御を説明するための図である。
【図８】図８は、第２移動制御を説明するための図である。
【図９】図９は、第２の実施の形態にかかる画像読取装置のスキャンにかかる主要な構成を示す図である。
【図１０】図１０は、第２の実施の形態にかかる処理部の機能構成を示すブロック図である。
【発明を実施するための形態】
【００１３】
以下に添付図面を参照して、画像読取装置および画像読取方法の実施の形態を詳細に説明する。
【００１４】
（第１の実施の形態）
図１は、第１の実施の形態にかかる画像読取装置１０の外観図である。画像読取装置１０は、読取対象となる紙面を搭載する平面コンタクトガラス１００およびＶ字型コンタクトガラス１１０とを備えている。Ｖ字型コンタクトガラス１１０は、平面コンタクトガラス１００上に取り外し可能に搭載されている。
【００１５】
平面コンタクトガラス１００は、平面状に設けられた原稿台であり、読取対象となる紙面を載せるための主面１０２を有している。
【００１６】
Ｖ字型コンタクトガラス１１０は、第１平面ガラス１１１と、第２平面ガラス１１２とを有している。第１平面ガラス１１１と第２平面ガラス１１２は、両者の一辺が接合し、その断面がＶ字型になるように形成されている。本実施の形態においては、第１平面ガラス１１１と第２平面ガラス１１２の断面における、第１平面ガラス１１１と第２平面ガラス１１２のなす角θは、９０°に設定されている。
【００１７】
読取対象となる紙面は、第１平面ガラス１１１および第２平面ガラス１１２の２つの主面のうち、これらの平面の外側の主面、すなわち第１主面１１３および第２主面１１４に載せられる。
【００１８】
Ｖ字型コンタクトガラス１１０は、例えば本（書籍）など一辺が綴じられた紙文書３００の各ページの内容をスキャンする場合に適した原稿台である。紙文書３００をスキャンする場合には、ユーザは、紙文書３００の綴じ部３０２を第１平面ガラス１１１と第２平面ガラス１１２の接合部に一致させ、紙文書３００の見開き２ページのうち一方のページが第１主面１１３に接し、見開き２ページのうち他方のページが第２主面１１４に接するように紙文書３００をＶ字型コンタクトガラス１１０に載せる。
【００１９】
Ｖ字型コンタクトガラス１１０は、第１平面ガラス１１１と第２平面ガラス１１２の断面がＶ字型を成しているため、Ｖ字型コンタクトガラス１１０に紙文書３００の見開きページを搭載した場合には、紙文書３００の綴じ部３０２付近においても、読取対象の紙面がＶ字型コンタクトガラス１１０から浮いてしまうことがなく、各ページの綴じ部３０２付近の領域をＶ字型コンタクトガラス１１０に密着させることができる。
【００２０】
なお、Ｖ字型コンタクトガラス１１０は、その断面がＶ字状になるように形成されていればよく、第１平面ガラス１１１と第２平面ガラス１１２の間の角度は、９０°に限定されるものではない。すなわち、第１平面ガラス１１１と第２平面ガラス１１２の間の角度は、一辺が綴じられた紙文書３００の綴じ部３０２付近においても読取対象面がコンタクトガラス１１０から浮くことがないような角度であればよい。
【００２１】
図２は、画像読取装置１０によるスキャンにかかる主要な構成を示す図である。図２に示すように、平面コンタクトガラス１００は、光源１２０と、第１ミラーユニット１３０と、第２ミラーユニット１４０と、画像センサ１５０とを備えている。第２ミラーユニット１４０は、ミラー１４１，１４２を有している。
【００２２】
光源１２０は、平面コンタクトガラス１００の下に設けられており、読取対象となる紙面に光を照射する。光源１２０は、図示せぬ光源制御部の制御により平面コンタクトガラス１００の面方向に沿って、第１平面ガラス１１１から第２平面ガラス１１２の方向（図２における矢印Ａの方向）に移動する。以下、この方向を副走査方向と称する。また、平面コンタクトガラス１００の面方向に平行で、かつ副走査方向に垂直な方向を、主走査方向と称する。
【００２３】
光源１２０から照射された光は、第１ミラーユニット１３０および第２ミラーユニット１４０により反射された後、図示せぬレンズユニットを経由して画像センサ１５０に入射する。なお、光源１２０、第１ミラーユニット１３０および第２ミラーユニット１４０は、いずれも主走査方向に延びる形状に形成されている。
【００２４】
画像センサ１５０は、受光した光を光電変換することにより、画像データを得る。画像センサ１５０は、具体的には、主走査方向に複数の受光素子が配列されたラインセンサであり、ＣＣＤセンサや、ＣＭＯＳセンサなどである。
【００２５】
図３は、画像読取装置１０が備える処理部１６０の機能構成を示すブロック図である。処理部１６０は、画像センサ１５０により得られた画像データを処理する。処理部１６０は、ホワイトバランス調整部１６１と、画像処理部１６２と、記憶部１６３と、出力部１６４と、Ｖ字型コンタクトガラス検出部１６５と、移動制御部１６６とを有している。
【００２６】
ホワイトバランス調整部１６１は、画像センサ１５０により得られた各ラインの画像データのホワイトバランスを調整する。図１および図２に示すように、Ｖ字型コンタクトガラス１１０の第１主面１１３および第２主面１１４と光源１２０との距離は、副走査方向の各位置において異なる。このため、副走査方向の各位置において紙面に照射される光の光量が異なり、画像センサ１５０により得られる画像データの明るさが異なってしまう。ホワイトバランス調整部１６１はこの明るさの違いをホワイトバランス調整により補正するものである。
【００２７】
より具体的には、ホワイトバランス調整部１６１は、Ｖ字型コンタクトガラス１１０の所定の基準領域から得られる基準画像データを基準として、他の領域から得られた画像データのホワイトバランスを調整する。
【００２８】
図４は、基準領域を示す図である。このように、基準領域１１５は、Ｖ字型コンタクトガラス１１０の端部近傍に設定されている。そして、ホワイトバランス調整部１６１は、画像センサ１５０により得られた基準領域１１５の画像データを基準画像として利用する。なお、基準領域の位置は、実施の形態に限定されるものではなく、Ｖ字型コンタクトガラス１１０の任意の位置であればよい。
【００２９】
図３の画像処理部１６２は、ホワイトバランス調整が施された画像データに対し、所定の画像処理を施し、画像処理後の画像データを記憶部１６３に記憶する。出力部１６４は、記憶部１６３に記憶されている画像データを出力する。
【００３０】
Ｖ字型コンタクトガラス検出部１６５は、画像センサ１５０により得られた画像データに基づいて、Ｖ字型コンタクトガラス１１０を検出する。ここで、Ｖ字型コンタクトガラス１１０を検出する処理について説明する。図５は、識別情報１１６を示す図である。図５に示すように、Ｖ字型コンタクトガラス１１０の所定の領域には、Ｖ字型コンタクトガラス１１０を識別する識別情報１１６が印字されている。本実施の形態においては、Ｖ字型コンタクトガラス１１０の端部近傍に識別情報１１６が印字されているものとするが、識別情報１１６の位置は任意であり、実施の形態に限定されるものではない。
【００３１】
Ｖ字型コンタクトガラス検出部１６５は、識別情報１１６の画像データと、その印字位置とを記憶している。そして、Ｖ字型コンタクトガラス検出部１６５は、画像センサ１５０から印字位置において得られた画像データと、予め記憶している識別情報画像データとを照合し、これらが一致する場合に、Ｖ字型コンタクトガラス１１０が搭載されていると判断する。
【００３２】
移動制御部１６６は、光源１２０、第１ミラーユニット１３０および第２ミラーユニット１４０を副走査方向に移動するための制御を行う。移動制御部１６６はまた、Ｖ字コンタクトガラス検出部１６５がＶ字型コンタクトガラス１１０を検出した場合、すなわち、平面コンタクトガラス１００上にＶ字型コンタクトガラス１１０が搭載されている場合には、予め定められた第１移動制御を行う。また、移動制御部１６６は、Ｖ字コンタクトガラス検出部１６５がＶ字コンタクトガラス１１０を検出しない場合、すなわち、Ｖ字コンタクトガラス１１０が搭載されていない場合には、予め定められた、第１移動制御と異なる第２移動制御を行う。ここで、第１移動制御および第２移動制御は、光源１２０、第１ミラーユニット１３０および第２ミラーユニット１４０を副走査方向に移動する際に、第１ミラーユニット１３０を基準とした第２ミラーユニット１４０の相対的な位置を調整する処理である。
【００３３】
図６および図７は、移動制御部１６６による第１移動制御を説明するための図である。副走査方向（矢印Ｂの方向）にスキャンが行われるとする。この場合、第１ミラーユニット１３０および第２ミラーユニット１４０を副走査方向に移動させるにつれて、Ｖ字型コンタクトガラス１１０の第１主面１１３から第１ミラーユニット１３０までの距離は離れていく。すなわち、Ｖ字コンタクトガラス１１０の第１主面１１３から第１ミラーユニット１３０および第２ミラーユニット１４０を経由し画像センサ１５０に到達するまでの光路（以下、第１光路と称する）の距離は、副走査方向に移動するにつれて長くなる。このため、Ｂ方向に移動すると画像センサ１５０に入射される光のフォーカスがずれてしまう。
【００３４】
そこで、本実施の形態においては、第１光路の距離を一定に保つべく、第１ミラーユニット１３０および第２ミラーユニット１４０を副走査方向に移動するのに対応して、第１ミラーユニット１３０を基準とした第２ミラーユニット１４０の相対的な位置を変化させる第１移動制御を行う。具体的には、第１移動制御においては、第１主面１１３に載せられた紙面をスキャンする際には、第１ミラーユニット１３０を移動距離ｌだけ移動させた場合に、第２ミラーユニット１４０の移動距離ｍが常にｌ／２となるように第２ミラーユニット１４０の位置を調整する。
【００３５】
図６上段に示すように、第１主面１１３の位置Ｃから第１ミラーユニット１３０までの距離をｃ１、第１ミラーユニット１３０から第２ミラーユニット１４０のミラー１４１までの距離をｃ２、ミラー１４１からミラー１４２までの距離をｃ３、ミラー１４２から画像センサ１５０までの距離をｃ４とすると、第１主面１１３の位置Ｃから画像センサ１５０までの第１光路Ｌ１は、（式１）により算出される。
Ｌ１＝ｃ１＋ｃ２＋ｃ３＋ｃ４    ・・・（式１）
【００３６】
また、図６下段に示すように、第１主面１１３の位置Ｄから第１ミラーユニット１３０までの距離をｄ１、第１ミラーユニット１３０から第２ミラーユニット１４０のミラー１４１までの距離をｄ２、ミラー１４１からミラー１４２までの距離をｄ３、ミラー１４２から画像センサ１５０までの距離をｄ４とすると、第１主面１１３の位置Ｄから画像センサ１５０までの第１光路Ｌ２は、（式２）により算出される。
Ｌ２＝ｄ１＋ｄ２＋ｄ３＋ｄ４    ・・・（式２）
【００３７】
ここで、上述のように、ｍ＝ｌ／２の関係を保つように第２ミラーユニット１４０の位置を調整することにより、（式３）に示すように、副走査方向の位置によらず、常に第１光路の距離を一定に保つことができる。
ｃ１＋ｃ２＋ｃ３＋ｃ４＝ｄ１＋ｄ２＋ｄ３＋ｄ４      ・・・（式３）
【００３８】
また、第１移動制御において、第２主面１１４に載せられた紙面をスキャンする際には、第１ミラーユニット１３０を移動距離ｌだけ移動させた場合に、第２ミラーユニット１４０の移動距離ｍが常にｌと等しくなるように移動させる。
【００３９】
図７上段に示すように、第２主面１１４の位置Ｅから第１ミラーユニット１３０までの距離をｅ１、第１ミラーユニット１３０から第２ミラーユニット１４０のミラー１４１までの距離をｅ２、ミラー１４１からミラー１４２までの距離をｅ３、ミラー１４２から画像センサ１５０までの距離をｅ４とすると、第２主面１１４の位置Ｅから画像センサ１５０までの第１光路Ｌ３は、（式４）により算出される。
Ｌ３＝ｅ１＋ｅ２＋ｅ３＋ｅ４    ・・・（式４）
【００４０】
また、図７下段に示すように、第２主面１１４の位置Ｆから第１ミラーユニット１３０までの距離をｆ１、第１ミラーユニット１３０から第２ミラーユニット１４０のミラー１４１までの距離をｆ２、ミラー１４１からミラー１４２までの距離をｆ３、ミラー１４２から画像センサ１５０までの距離をｆ４とすると、第１主面１１３の位置Ｆから画像センサ１５０までの第１光路Ｌ４は、（式５）により算出される。
Ｌ４＝ｆ１＋ｆ２＋ｆ３＋ｆ４    ・・・（式５）
【００４１】
ここで、上述のように、ｍ＝ｌの関係に保つように第２ミラーユニット１４０の位置を調整することにより、（式６）に示すように、副走査方向の位置によらず、常に第１光路の距離を一定に保つことができる。
ｅ１＋ｅ２＋ｅ３＋ｅ４＝ｆ１＋ｆ２＋ｆ３＋ｆ４      ・・・（式６）
【００４２】
このように、第１移動制御においては、移動制御部１６６は、光源１２０、第１ミラーユニット１３０および第２ミラーユニット１４０を副走査方向に移動させるのに対応して、第１ミラーユニット１３０を基準とした、第２ミラーユニット１４０の相対的な位置を変化させるので、これにより第１光路の距離の変化分を吸収することができ、副走査方向の位置によらず、画像センサ１５０に入射する光のフォーカスを常に合わせることができる。
【００４３】
次に、移動制御部１６６による第２移動制御について説明する。図８は、第２移動制御を説明するための図である。第２移動制御においては、平面コンタクトガラス１００から第１ミラーユニット１３０および第２ミラーユニット１４０を経由し画像センサ１５０に到達するまでの光路（以下、第２光路と称する）の距離を一定に保つための制御である。具体的には、移動制御部１６６は、第２移動制御においては、平面コンタクトガラス１００に載せられた紙面をスキャンする際に、第１ミラーユニット１３０を移動距離ｌだけ移動させた場合に、第２ミラーユニット１４０の移動距離ｍが常にｌ／２となるように第２ミラーユニット１４０の位置を調整する。
【００４４】
図８上段に示すように、平面コンタクトガラス１００の位置Ｇから第１ミラーユニット１３０までの距離をｇ１、第１ミラーユニット１３０から第２ミラーユニット１４０のミラー１４１までの距離をｇ２、ミラー１４１からミラー１４２までの距離をｇ３、ミラー１４２から画像センサ１５０までの距離をｇ４とすると、平面コンタクトガラス１００の位置Ｇから画像センサ１５０までの第２光路Ｌ５は、（式７）により算出される。
Ｌ５＝ｇ１＋ｇ２＋ｇ３＋ｇ４    ・・・（式７）
【００４５】
また、図８下段に示すように、平面コンタクトガラス１００の位置Ｈから第１ミラーユニット１３０までの距離をｈ１、第１ミラーユニット１３０から第２ミラーユニット１４０のミラー１４１までの距離をｈ２、ミラー１４１からミラー１４２までの距離をｈ３、ミラー１４２から画像センサ１５０までの距離をｈ４とすると、平面コンタクトガラス１００の位置Ｈから画像センサ１５０までの第２光路Ｌ６は、（式８）により算出される。
Ｌ６＝ｈ１＋ｈ２＋ｈ３＋ｈ４    ・・・（式８）
【００４６】
ここで、上述のように、ｍ＝ｌ／２の関係を保つように第２ミラーユニット１４０の位置を調整することにより、（式９）に示すように、副走査方向の位置によらず、常に第２光路の距離を一定に保つことができる。
ｇ１＋ｇ２＋ｇ３＋ｇ４＝ｈ１＋ｈ２＋ｈ３＋ｈ４      ・・・（式９）
【００４７】
このように、第２移動制御においても、移動制御部１６６は、副走査方向に移動するのに対応して、第１ミラーユニット１３０を基準とした、第２ミラーユニット１４０の相対的な位置を変化させるので、これにより、第２光路の距離の変化分を吸収することができ、副走査方向の位置によらず、画像センサ１５０に入射する光のフォーカスを常に合わせることができる。
【００４８】
以上のように、本実施の形態にかかる画像読取装置１０においては、本のように一辺が綴じられた紙文書を開いた状態に沿った形状のＶ字型コンタクトガラス１１０を備えているので、この原稿台としてのＶ字型コンタクトガラス１１０に読取対象となる見開きページを載せることにより、開かれたページの綴じ部付近の領域もＶ字型コンタクトガラス１１０と密着させることができ、開かれたページの内容を良好な状態で読み取ることができる。
【００４９】
さらに、本実施の形態にかかる画像読取装置１０においては、紙文書を開いた状態で原稿台に載せるため、背表紙を裁断する必要もなく、また、原稿台としてのＶ字型コンタクトガラス１１０は、見開きページの形状に沿った形状に形成されているので、紙文書を原稿台に押し付ける必要もない。このため、紙文書のスキャンによる劣化を防止することができる。
【００５０】
本実施の形態の画像読取装置１０の第１の変更例について説明する。本実施の形態にかかる画像読取装置１０においては、Ｖ字型コンタクトガラス検出部１６５がＶ字型コンタクトガラス１１０の有無を検出し、移動制御部１６６は、この検出結果に基づいて第１移動制御と第２移動制御を切り替えていたが、これにかえて、移動制御部１６６は、ユーザからの指示に基づいて、第１移動制御と第２移動制御を切り替えてもよい。本例においては、画像読取装置は、ユーザからの入力を受け付ける受付部をさらに備えることとする。なお、この場合、画像読取装置は、Ｖ字型コンタクトガラス検出部１６５を備えなくともよい。
【００５１】
ユーザは、Ｖ字型コンタクトガラス１１０に読取対象となる紙面を載せてスキャンを行いたい場合には、Ｖ字型コンタクトガラス１１０を平面コンタクトガラス１００上に搭載し、第１移動制御の実行指示を不図示の入力部から入力する。また、ユーザは、平面コンタクトガラス１００に読取対象となる紙面を載せてスキャンを行いたい場合には、Ｖ字型コンタクトガラス１１０を取り外し、第２移動制御の実行指示を入力部から入力する。
【００５２】
受付部は、入力部に入力された第１移動制御または第２移動制御の実行指示を受け付け、移動制御部は、受付部が受け付けた実行指示に従い第１移動制御または第２移動制御を行う。
【００５３】
また、第２の変更例としては、画像読取装置は、平面コンタクトガラス１００を備えなくともよい。すなわち、画像読取装置は、原稿台としてＶ字型コンタクトガラス１１０のみを備える。これにより、平面コンタクトガラス１００を通る際の光源１２０からの光の光量の減少や光の屈折を軽減することができる。したがって、画像読取装置は、より良好な画像データを得ることができる。また、この場合には、処理部１６０のＶ字型コンタクトガラス検出部１６５を備えなくてもよい。また、移動制御部１６６は、第１移動制御のみを行えばよい。
【００５４】
また、第３の変更例としては、画像読取装置は、３以上のミラーユニットを備えてもよい。この場合においても、移動制御部１６６は、画像読取装置が備えるミラーユニットを経由する各光路の距離が一定となるような第１移動制御および第２移動制御を行うこととする。
【００５５】
（第２の実施の形態）
図９は、第２の実施の形態にかかる画像読取装置２０のスキャンにかかる主要な構成を示す図である。第２の実施の形態にかかる画像読取装置２０は、フォーカスユニット１７０を備えている。
【００５６】
第１の実施の形態にかかる画像読取装置１０においては、Ｖ字型コンタクトガラス１１０または平面コンタクトガラス１００から第１ミラーユニット１３０および第２ミラーユニット１４０を経由する画像センサ１５０までの光路の距離を調整することにより、画像センサ１５０に入射する光のフォーカスを調整したが、第２の実施の形態にかかる画像読取装置２０においては、フォーカスユニット１７０により、画像センサ１５０に入射する光のフォーカスを調整する。画像センサ１５０は、フォーカスユニット１７０によりフォーカスが調整された光を受光し、受光した光に基づいて、画像データを得る。
【００５７】
図１０は、画像読取装置２０が備える処理部１６７の機能構成を示すブロック図である。処理部１６７は、第１の実施の形態の処理部１６０の機能構成に加えて、フォーカス制御部１６８を有している。移動制御部１６６は、光源１２０およびミラーユニット１８０を副走査方向に移動するための処理を行う。
【００５８】
フォーカス制御部１６８は、画像センサ１５０に入射する光のフォーカスのずれを調整する。フォーカス制御部１６８は、具体的には、Ｖ字コンタクトガラス検出部１６５がＶ字型コンタクトガラス１１０を検出した場合、すなわち、平面コンタクトガラス１００上にＶ字型コンタクトガラス１１０が搭載されている場合には、予め定められた第１フォーカス制御を行う。また、移動制御部１６６は、Ｖ字コンタクトガラス検出部１６５がＶ字コンタクトガラス１１０を検出しない場合、すなわち、Ｖ字コンタクトガラス１１０が搭載されていない場合には、予め定められた、第１フォーカス制御と異なる第２フォーカス制御を行う。
【００５９】
第１フォーカス制御は、第１平面ガラス１１１または第２平面ガラス１１２からミラーユニット１８０を経由して画像センサ１５０に到達する光路の距離の変化に起因した画像センサ１５０に入射される光のフォーカスのずれを調整する処理である。第２フォーカス制御は、平面コンタクトガラス１００からミラーユニット１８０を経由して画像センサ１５０に到達する光路の距離の変化に起因した画像センサ１５０に入射される光のフォーカスのずれを調整する処理である。
【００６０】
このように、本実施の形態においては、第１の実施の形態にかかる画像読取装置１０のように光源１２０からの光の光路の距離を一定に保つように複数のミラーユニットの相対的な位置を調整するのにかえて、フォーカスユニット１７０により画像センサ１５０に入射する光のフォーカスを調整する。これにより、画像形成装置２０においても、副走査方向の位置によらず、画像センサ１５０に入射する光のフォーカスを常に合わせることができる。
【００６１】
なお、上記実施の形態において説明した画像読取装置は、コピー機能、プリンタ機能、スキャナ機能およびファクシミリ機能のうち少なくとも２つの機能を有する複合機に適用してもよい。また、複写機などの画像形成装置であればいずれにも適用することができる。
【符号の説明】
【００６２】
１０，２０  画像読取装置
１００  平面コンタクトガラス
１１０  Ｖ字型コンタクトガラス
１１１  第１平面ガラス
１１２  第２平面ガラス
１２０  光源
１３０  第１ミラーユニット
１４０  第２ミラーユニット
１５０  画像センサ
１６０，１６７  処理部
１６１  ホワイトバランス調整部
１６２  画像処理部
１６３  記憶部
１６４  出力部
１６５  Ｖ字型コンタクトガラス検出部
１６６  移動制御部
１６８  フォーカス制御部
１７０  フォーカスユニット
１８０  ミラーユニット
【先行技術文献】
【特許文献】
【００６３】
【特許文献１】特表２００５−５３４０６２号公報
【図１】
2013106058.tif 000003
【図２】
2013106058.tif 000004
【図３】
2013106058.tif 000005
【図４】
2013106058.tif 000006
【図５】
2013106058.tif 000007
【図６】
2013106058.tif 000008
【図７】
2013106058.tif 000009
【図８】
2013106058.tif 000010
【図９】
2013106058.tif 000011
【図１０】
2013106058.tif 000012